(57)【特許請求の範囲】
【請求項１】
供給皿および貯留皿が形成された前板が遊技機本体の前面に開閉可能に設けられ、遊技機本体に設けられた賞球払出装置の賞球払出通路の下流に分岐部が設けられ、前記供給皿が満杯の場合は該賞球払出通路に排出された遊技球が該分岐部を経て貯留皿に排出されるように構成した遊技機において、
賞球払出通路の分岐部の下流に２つの賞球排出口を横並び状に形成し、供給皿の賞球流入口と貯留皿の賞球流入口とを該各賞球排出口と対向し得るように前記前板の裏面に横並び状に形成し、遊技機本体側であってその２つの賞球排出口の下側に一本の回転軸を水平に軸支し、該賞球排出口の下縁部にガイド体に沿って上下にスライド可能なるようにその２つの賞球排出口に跨る１枚のシャッター板を配設し、該シャッター板に係合部を形成し、該シャッター板の下側に常には該シャッター板を上向きに付勢する付勢部材を設け、前記回転軸に前記係合部に係合し得る突片を形成すると共に該回転軸に半径方向に延びるカンチレバーを形成して該カンチレバーを遊技機本体の前面に突出させ、
前板が閉じられるとカンチレバーが該前板側の接触面に衝突することで前記回転軸が自転して前記突片が前記係合部を圧下し付勢部材の弾性に抗してシャッター板を下降させ、前板が開かれると付勢部材の弾性によりシャッター板が上昇し２つの賞球排出口が同時に閉鎖されるようにしたことを特徴とする遊技機の球こぼれ防止装置。
【請求項２】
供給皿および貯留皿が形成された前板が遊技機本体の前面に開閉可能に設けられ、遊技機本体に設けられた賞球払出装置の賞球払出通路の下流に分岐部が設けられ、前記供給皿が満杯の場合は該賞球払出通路に排出された遊技球が該分岐部を経て貯留皿に排出されるように構成した遊技機において、
賞球払出通路の分岐部の下流に２つの賞球排出口を横並び状に形成し、供給皿の賞球流入口と貯留皿の賞球流入口とを該各賞球排出口と対向し得るように前記前板の裏面に横並び状に形成し、該前板側であってその２つの賞球流入口の下側に一本の回転軸を水平に軸支し、該賞球流入口の下縁部にガイド体に沿って上下にスライド可能なるようにその２つの賞球流入口に跨る１枚のシャッター板を配設し、該シャッター板に係合部を形成し、該シャッター板の下側に常には該シャッター板を上向きに付勢する付勢部材を設け、前記回転軸に前記係合部に係合し得る突片を形成すると共に該回転軸に半径方向に延びるカンチレバーを形成して該カンチレバーを該前板の裏面に突出させ、
前板が閉じられるとカンチレバーが遊技機本体側の接触面に衝突することで前記回転軸が自転して前記突片が前記係合部を圧下し付勢部材の弾性に抗してシャッター板を下降させ、前板が開かれると付勢部材の弾性によりシャッター板が上昇し２つの賞球流入口が同時に閉鎖されるようにしたことを特徴とする遊技機の球こぼれ防止装置。
【請求項３】
供給皿および貯留皿が形成された前板が遊技機本体の前面に開閉可能に設けられ、遊技機本体に設けられた賞球払出装置の賞球払出通路の下流に分岐部が設けられ、前記供給皿が満杯の場合は該賞球払出通路に排出された遊技球が該分岐部を経て貯留皿に排出されるように構成した遊技機において、
賞球払出通路の分岐部の下流に２つの賞球排出口を横並び状に形成し、供給皿の賞球流入口と貯留皿の賞球流入口とを該各賞球排出口と対向し得るように前記前板の裏面に横並び状に形成し、該賞球排出口の下縁部にガイド体に沿って上下にスライド可能なるようにその２つの賞球排出口に跨る１枚のシャッター板を配設し、該シャッター板にクサビ片を設け、該シャッター板の下側に常には該シャッター板を上向きに付勢する付勢部材を設け、前板の裏面に前記クサビ片の斜面と相対する押圧ローラを設け、
前板が閉じられると押圧ローラがクサビ片の斜面を押圧することでシャッター板に下向きの分力を生じさせて該シャッター板を付勢部材の弾性に抗して下降させ、前板が開かれると付勢部材の弾性によりシャッター板が上昇し２つの賞球排出口が同時に閉鎖されるようにしたことを特徴とする遊技機の球こぼれ防止装置。
【請求項４】
供給皿および貯留皿が形成された前板が遊技機本体の前面に開閉可能に設けられ、遊技機本体に設けられた賞球払出装置の賞球払出通路の下流に分岐部が設けられ、前記供給皿が満杯の場合は該賞球払出通路に排出された遊技球が該分岐部を経て貯留皿に排出されるように構成した遊技機において、
賞球払出通路の分岐部の下流に２つの賞球排出口を横並び状に形成し、供給皿の賞球流入口と貯留皿の賞球流入口とを該各賞球排出口と対向し得るように前記前板の裏面に横並び状に形成し、該賞球流入口の下縁部にガイド体に沿って上下にスライド可能なるようにその２つの賞球排出口に跨る１枚のシャッター板を配設し、該シャッター板にクサビ片を設け、該シャッター板の下側に常には該シャッター板を上向きに付勢する付勢部材を設け、遊技機本体の前面に前記クサビ片の斜面と相対する押圧ローラを設け、
前板が閉じられると押圧ローラがクサビ片の斜面を押圧することでシャッター板に下向きの分力を生じさせて該シャッター板を付勢部材の弾性に抗して下降させ、前板が開かれると付勢部材の弾性によりシャッター板が上昇し２つの賞球流入口が同時に閉鎖されるようにしたことを特徴とする遊技機の球こぼれ防止装置。
【発明の詳細な説明】
【技術分野】
【０００１】
この発明は遊技媒体としてパチンコ球等の球を使用する遊技機の球こぼれ防止装置に関するものである。
【背景技術】
【０００２】
パチンコ球等の遊技球を遊技媒体とするパチンコ遊技機，雀球遊技機、或いはパチンコ球を遊技媒体とするスロットマシン（パロットと称される）等の遊技機では、遊技者に賞として払い出す遊技球を受けると共に該遊技球を一列に揃えて打球発射部や遊技球計数部に供給するための球受皿（以下、供給皿という）と、該供給皿から溢れた遊技球を貯留するための球受皿（以下、貯留皿という）とが遊技機本体に対し開閉可能に枢着された前板の前面にそれぞれ突出状に一体的に形成されている。そして、該前板は保守・点検を行うために開閉される。
【０００３】
ところで、前板が開いたときに、遊技機本体の賞球払出通路の賞球流出口と、前記供給皿の賞球流入口とが離間するため、その隙間から遊技球が外にこぼれ落ちることがあり、このこぼれ落ちを防ぐために下記特許文献１，２に開示された賞球流出規制装置の発明では、前板の開閉と連動する賞球流出規制手段を設け、前板を開いた際に賞球流出口が自動的に閉じられるようにしている。
【特許文献１】特開２００３−２０５１５５号公報
【特許文献２】実公平６−３０２２３号公報
【発明の開示】
【発明が解決しようとする課題】
【０００４】
一方、昨今のパチンコ遊技機は遊技盤に液晶表示器等の大型のディスプレイが設けられることから、遊技盤をなるべく大きくする必要があり、そのために上記供給皿と貯留皿との高さの差が従来のように大きく採れなくなってきている。このため供給皿に通じる賞球流入口だけでなく貯留皿に通じる賞球流入口からも上記のような球こぼれが生じ易くなるので、その球こぼれを防ぐための装置を設けようとすると構成が非常に複雑になり、製造コストも高くなるおそれがあった。
また、遊技盤を透過視認するための透明板を保持している枠体の下部に供給皿と貯留皿とを一体的に形成することで斬新なデザインが採り入れられたパチンコ遊技機が知られているが、その場合、遊技盤面に球詰まり等のトラブルが生じて透明板を開けなければならないときにも上記のような球こぼれが生じるおそれがあった。
この発明は上記のような問題点を解消し得る遊技機の球こぼれ防止装置を提供しようとするものである。
【課題を解決するための手段】
【０００５】
そのために請求項１に記載した遊技機の球こぼれ防止装置の発明は、供給皿および貯留皿が形成された前板が遊技機本体の前面に開閉可能に設けられ、遊技機本体に設けられた賞球払出装置の賞球払出通路の下流に分岐部が設けられ、前記供給皿が満杯の場合は該賞球払出通路に排出された遊技球が該分岐部を経て貯留皿に排出されるように構成した遊技機において、賞球払出通路の分岐部の下流に２つの賞球排出口を横並び状に形成し、供給皿の賞球流入口と貯留皿の賞球流入口とを該各賞球排出口と対向し得るように前記前板の裏面に横並び状に形成し、遊技機本体側であってその２つの賞球排出口の下側に一本の回転軸を水平に軸支し、該賞球排出口の下縁部にガイド体に沿って上下にスライド可能なるようにその２つの賞球排出口に跨る１枚のシャッター板を配設し、該シャッター板に係合部を形成し、該シャッター板の下側に常には該シャッター板を上向きに付勢する付勢部材を設け、前記回転軸に前記係合部に係合し得る突片を形成すると共に該回転軸に半径方向に延びるカンチレバーを形成して該カンチレバーを遊技機本体の前面に突出させ、前板が閉じられるとカンチレバーが該前板側の接触面に衝突することで前記回転軸が自転して前記突片が前記係合部を圧下し付勢部材の弾性に抗してシャッター板を下降させ、前板が開かれると付勢部材の弾性によりシャッター板が上昇し２つの賞球排出口が同時に閉鎖されるようにしたことを特徴とする。
また請求項２に記載した遊技機の球こぼれ防止装置の発明は、供給皿および貯留皿が形成された前板が遊技機本体の前面に開閉可能に設けられ、遊技機本体に設けられた賞球払出装置の賞球払出通路の下流に分岐部が設けられ、前記供給皿が満杯の場合は該賞球払出通路に排出された遊技球が該分岐部を経て貯留皿に排出されるように構成した遊技機において、賞球払出通路の分岐部の下流に２つの賞球排出口を横並び状に形成し、供給皿の賞球流入口と貯留皿の賞球流入口とを該各賞球排出口と対向し得るように前記前板の裏面に横並び状に形成し、該前板側であってその２つの賞球流入口の下側に一本の回転軸を水平に軸支し、該賞球流入口の下縁部にガイド体に沿って上下にスライド可能なるようにその２つの賞球流入口に跨る１枚のシャッター板を配設し、該シャッター板に係合部を形成し、該シャッター板の下側に常には該シャッター板を上向きに付勢する付勢部材を設け、前記回転軸に前記係合部に係合し得る突片を形成すると共に該回転軸に半径方向に延びるカンチレバーを形成して該カンチレバーを該前板の裏面に突出させ、前板が閉じられるとカンチレバーが遊技機本体側の接触面に衝突することで前記回転軸が自転して前記突片が前記係合部を圧下し付勢部材の弾性に抗してシャッター板を下降させ、前板が開かれると付勢部材の弾性によりシャッター板が上昇し２つの賞球流入口が同時に閉鎖されるようにしたことを特徴とする。
また請求項３に記載した遊技機の球こぼれ防止装置の発明は、供給皿および貯留皿が形成された前板が遊技機本体の前面に開閉可能に設けられ、遊技機本体に設けられた賞球払出装置の賞球払出通路の下流に分岐部が設けられ、前記供給皿が満杯の場合は該賞球払出通路に排出された遊技球が該分岐部を経て貯留皿に排出されるように構成した遊技機において、賞球払出通路の分岐部の下流に２つの賞球排出口を横並び状に形成し、供給皿の賞球流入口と貯留皿の賞球流入口とを該各賞球排出口と対向し得るように前記前板の裏面に横並び状に形成し、該賞球排出口の下縁部にガイド体に沿って上下にスライド可能なるようにその２つの賞球排出口に跨る１枚のシャッター板を配設し、該シャッター板にクサビ片を設け、該シャッター板の下側に常には該シャッター板を上向きに付勢する付勢部材を設け、前板の裏面に前記クサビ片の斜面と相対する押圧ローラを設け、前板が閉じられると押圧ローラがクサビ片の斜面を押圧することでシャッター板に下向きの分力を生じさせて該シャッター板を付勢部材の弾性に抗して下降させ、前板が開かれると付勢部材の弾性によりシャッター板が上昇し２つの賞球排出口が同時に閉鎖されるようにしたことを特徴とする。
また請求項４に記載した遊技機の球こぼれ防止装置の発明は、供給皿および貯留皿が形成された前板が遊技機本体の前面に開閉可能に設けられ、遊技機本体に設けられた賞球払出装置の賞球払出通路の下流に分岐部が設けられ、前記供給皿が満杯の場合は該賞球払出通路に排出された遊技球が該分岐部を経て貯留皿に排出されるように構成した遊技機において、賞球払出通路の分岐部の下流に２つの賞球排出口を横並び状に形成し、供給皿の賞球流入口と貯留皿の賞球流入口とを該各賞球排出口と対向し得るように前記前板の裏面に横並び状に形成し、該賞球流入口の下縁部にガイド体に沿って上下にスライド可能なるようにその２つの賞球排出口に跨る１枚のシャッター板を配設し、該シャッター板にクサビ片を設け、該シャッター板の下側に常には該シャッター板を上向きに付勢する付勢部材を設け、遊技機本体の前面に前記クサビ片の斜面と相対する押圧ローラを設け、前板が閉じられると押圧ローラがクサビ片の斜面を押圧することでシャッター板に下向きの分力を生じさせて該シャッター板を付勢部材の弾性に抗して下降させ、前板が開かれると付勢部材の弾性によりシャッター板が上昇し２つの賞球流入口が同時に閉鎖されるようにしたことを特徴とする。
【発明の効果】
【０００６】
請求項１および３に記載の発明によれば、一枚のシャッター板によって賞球払出通路の分岐部の下流の２つの賞球排出口が前板の開閉と連動して開閉するようにできるうえに、構成が簡単になり製造コストが軽減される。
請求項２および４に記載の発明によれば、一枚のシャッター板によって供給皿に通じる賞球流入口と貯留皿に通じる賞球流入口とが前板の開閉と連動して開閉するようにできるうえに、構成が簡単になり製造コストも軽減される。
【発明を実施するための最良の形態】
【０００７】
次に請求項１に記載の発明の実施形態をパチンコ遊技機について図面に従い説明する。図１はこのパチンコ遊技機を前方から見た斜視図、図２は要部の縦断面図、図３は要部の水平断面図で、１は遊技機本体、２は該遊技機本体の前面にヒンジ３によって開閉可能に枢着された前板である。また図４はこの前板２を前方に開いたときの斜視図である。遊技機本体１は保持枠４に支持された遊技盤５が設けられていると共に、該保持枠の下部に打球発射装置６が設けられている。７は該保持枠の裏側に設けられた賞球払出装置である。該賞球払出装置７からは縦樋状の賞球払出通路８が垂下状に設けられ、該賞球払出通路８の下端には分岐部９が形成され２つの賞球排出口１０，１１に分岐している。そして該賞球排出口１０，１１は該遊技機本体１の前面に同じ高さで横並び状に開口している。また、遊技機本体１の前面に取付板１３がビス１４によって固着され、該取付板１３に賞球排出口１０，１１を開閉する球こぼれ防止装置１２が設けられる。なお、球こぼれ防止装置１２の構成は後に詳しく説明する。
【０００８】
一方、前板２には、上半部に遊技盤５を透過視認するための透明板２０を保持する枠体２１が形成され、下部右隅に打球発射ハンドル２２が装着されると共に、隔壁２３により左右に仕切られた供給皿２４および貯留皿２５がそれぞれ前方突出状で一体的に形成されている。なお、供給皿２４の底壁面は貯留皿２５の底壁面よりも少し高所に形成される。２６は供給皿２４の一側に開設された球放出口、２７は貯留皿２５の一側に開設された球放出口である。また、２８，２９は前記賞球排出口１０，１１と合致し得るように前板２の裏面に横並び状に形成された一対の賞球流入口で、その一方の賞球流入口２８は筒状部３０を介して前記球放出口２６に連通し、もう一方の賞球流入口２９は供給皿２４の下側に形成された筒状部３１を介して前記球放出口２７に連通している。３２は前板２の裏面に設けられた打球供給装置、３３は供給皿２４にある遊技球を一列に整列させ該打球供給装置に流出させるために該供給皿２４に形成された整列樋部、３４は該供給皿２４にある遊技球を貯留皿２５に移動させたいときに遊技者が操作し得るように整列樋部３３の下端部に設けられた開閉弁操作用摘子、３５は該整列樋部３３の下端開口、３６は前板２の前面に設けられた貸球要求操作用等の押しボタンスイッチ群、３７は貯留皿２５の底壁に形成された球抜孔、３８は該球抜孔を遊技者が開閉操作し得るように設けられた球抜レバーである。また、３９は前板２の裏面に設けられたファール球受である。
【０００９】
球こぼれ防止装置１２は、図５の分解斜視図にも示したように、上縁部に前記賞球排出口１０，１１と同じ内径の角枠状の一対の短筒体４３，４４が形成され下縁部には角筺形のガイド体４５が一体に形成された組付部材４２と、ガイド体４５内に遊嵌するガイド部４６が裏面中央に一体に形成され両側縁には係合部４７ａ，４７ｂが一体に形成された略長方形状のシャッター板４８と、係合部４７ａ，４７ｂに係合し得る突片４９ａ，４９ｂが両端部寄りに形成され一端部にはさらに半径方向に延びるカンチレバー５０が形成された回転軸５１と、コイル状に圧縮された付勢部材としてのバネ５２とからなり、前記取付板１３に形成されたバネ座５３上に該バネ５２を支持し、該バネの上端をガイド部４６に当接させ該バネの弾性によりシャッター板４８を上向きに付勢すると共に、回転軸５１の両端部を取付板１３に回転自在に軸支し、組付部材４２をビス５４により取付板１３に固着することにより、シャッター板４８を短筒体４３，４４の前面にて上下にスライド可能となるように設けてなる。そして、カンチレバー５０を取付板１３に開設された縦長孔５５から遊技機本体１の前面に突出させ、前板２が閉じられているときは該カンチレバー５０が該前板２の裏側の接触面２ａに衝突していることで回転軸５１の突片４９ａ，４９ｂが係合部４７ａ，４７ｂを圧下しバネ５２の弾性に抗してシャッター板４８が下降せられ、該シャッター板４８の上端縁が短筒体４３，４４の下縁部に沈むことで、賞球排出口１０，１１はそれぞれ賞球流入口２８，２９と連通状態となる。このため、前板２が閉じられているときは、賞球払出装置７から遊技球が払出されると、その遊技球は賞球払出通路８、分岐部９、賞球排出口１０、短筒体４３、賞球流入口２８、筒状部３０を経て球放出口２６より供給皿２４に払い出される。また供給皿２４が遊技球で満杯になりその遊技球が分岐部９まで連なると、賞球払出装置７から払出された遊技球は賞球排出口１１、短筒体４４、賞球流入口２９、筒状部３１を経て球放出口２７より貯留皿２５に払い出されるようになる。なお、前記ファール球受３９に受けられた遊技球は賞球流入口２９に流入した遊技球と合流して貯留皿２５に払い戻される。
【００１０】
一方、前板２が開かれると、カンチレバー５０が該前板２の裏面から離れバネ５２の弾性によりシャッター板４８が図４，図６に示したように上昇し、該シャッター板が賞球排出口１０，１１を閉鎖するので、前板２が開かれても、賞球排出口１０，１１付近の遊技球が外にこぼれ落ちることがない。そして前板２を閉じるとカンチレバー５０が該前板２の裏面の接触面２ａに衝突し、シャッター板４８が自動的に下降することで、再び賞球排出口１０，１１がそれぞれ賞球流入口２８，２９に連通する。このようにこの実施形態では、一枚のシャッター板４８によって２つの賞球排出口１０，１１が前板２の開閉と連動して自動的に開閉するので、両賞球排出口１０，１１にそれぞれシャッター板を設けるよりも構成が簡単となり製造コストを大幅に軽減することができる。
【００１１】
次に請求項２に記載した発明の実施形態を説明する。この実施形態は前記実施形態において取付板１３に設けられた球こぼれ防止装置１２を図７に示したように前板２の裏面側に設け、前板２が開かれたときシャッター板４８が両賞球流入口２８，２９を同時に閉鎖し得るようにしたものである。前板２を開いたとき両賞球流入口２８，２９付近にある遊技球が外にこぼれ落ちるのを防止することができる。なお、図７中の図４と同じ符号は、同一部分又は相当部分を示す。
【００１２】
このようにこの発明の球こぼれ防止装置は、遊技機本体１側または前板２側のいずれに設けてもよい。また、遊技機本体１側と前板２側の両方にこの発明の球こぼれ防止装置を設ければ、遊技球が外にこぼれ落ちるのを一層完璧に防止することができる。
【００１３】
なお、上記実施形態では回転軸５１の一端部にカンチレバー５０を設けたが、回転軸５１の両端部にそれぞれカンチレバーを設け前板２を閉じたとき該各カンチレバーが同時に該前板２の裏面の接触面２ａに衝突するようにすることにより、幅広のシャッター板でも左右で片寄ることなく常にバランス良く上下にスライドさせることができる。
また、シャッター板４８を上下にスライドさせる機構はこれらの実施形態に限らず、例えば図８に示したようにシャッター板４８の前面にクサビ片５６を設けると共に、前板２を閉じたとき該クサビ片５６の斜面に相対する押圧ローラ５７を設け、前板２を閉じたとき該押圧ローラ５７が該斜面を押圧しそのときの下向分力で前板２がバネ５２の弾性に抗して下降するように構成してもよい。
【００１４】
またこの実施形態では、前板２に枠体２１が一体に形成されたものを説明したが、前板と枠体とが別体に形成された遊技機にもこの発明を適用することができる。
また、この発明はこの実施形態に示したパチンコ遊技機に限らず、パチンコ球等の遊技球を遊技媒体とする雀球遊技機、スロットマシン等の遊技機における前板の開閉に伴う球こぼれを防止するのにも同様に適用することができる。
【図面の簡単な説明】
【００１５】
【図１】本発明に係る球こぼれ防止装置が設けられたパチンコ遊技機の斜視図。
【図２】本発明に係る遊技機の球こぼれ防止装置の要部の縦断面図。
【図３】本発明に係る遊技機の球こぼれ防止装置の要部の水平断面図。
【図４】本発明に係る球こぼれ防止装置が設けられた遊技機の前板を開いたときの斜視図。
【図５】本発明に係る球こぼれ防止装置の分解斜視図。
【図６】本発明の作動を示す球こぼれ防止装置の要部の縦断面図。
【図７】本発明に係る球こぼれ防止装置の他の実施形態を示す前板を開いたときの斜視図。
【図８】本発明に係る球こぼれ防止装置の他の実施形態を示す分解斜視図。
【符号の説明】
【００１６】
１                遊技機本体
２                前板
７                賞球払出装置
８                賞球払出通路
９                分岐部
１０，１１        賞球排出口
１３              取付板
１２              球こぼれ防止装置
２４              供給皿
２５              貯留皿
２８，２９        賞球流入口
４２              組付部材
４５              ガイド体
４６              ガイド部
４７ａ，４７ｂ    係合部
４８              シャッター板
４９ａ，４９ｂ    突片
５０              カンチレバー
５１              回転軸
５２              付勢部材（バネ）
【図１】
0004820598.tif 000002
【図２】
0004820598.tif 000003
【図３】
0004820598.tif 000004
【図４】
0004820598.tif 000005
【図５】
0004820598.tif 000006
【図６】
0004820598.tif 000007
【図７】
0004820598.tif 000008
【図８】
0004820598.tif 000009